(57)【要約】【課題】カバー部材自体を操作せずともロック及びロック解除操作を行うことができるとともに、カバー部材がこじ開けられた場合でも収納部内の金銭処理装置が容易に抜き取られることのない自動販売機の防盗構造を提供する。【解決手段】カバー部材５の内面側に、上下方向に移動することにより収納部４側に着脱自在に係合するロック板６を設けたので、カバー部材５のロック及びロック解除をロック板６の操作のみによって行うことができ、省スペース化及び操作性の向上を図ることができる。その際、ロック板６によって収納部４内の紙幣処理装置３ｂを覆うようにしたので、カバー部材５がこじ開けられた場合でも、紙幣処理装置３ｂを覆うロック板６により、カバー部材５の隙間から紙幣処理装置３ｂが容易に抜き取られることがない。【選択図】図４
2006107232.tif 000002
【特許請求の範囲】
【請求項１】
前面を開口した自動販売機本体と、自動販売機本体の前面開口部を開閉する外扉と、外扉の背面側に配置された金銭処理装置とを備え、外扉の背面側には、金銭処理装置を収納する収納部と、収納部を開閉するカバー部材とを設け、カバー部材を閉鎖状態でロック可能に構成した自動販売機の防盗構造において、
前記カバー部材の内面側に、収納部側の所定部分に着脱自在に係合するロック板を設けるとともに、ロック板を収納部内の金銭処理装置の少なくとも一部を覆うように形成した
ことを特徴とする自動販売機の防盗構造。
【請求項２】
前記収納部内にロック板によって覆われる金銭処理装置を他の部分から仕切るように囲む仕切壁を設けた
ことを特徴とする請求項１記載の自動販売機の防盗構造。
【請求項３】
前記仕切壁にロック板との係合部を設けた
ことを特徴とする請求項２記載の自動販売機の防盗構造。
【請求項４】
前記ロック板の縁部に収納部側に向かって傾斜する傾斜部を設けた
ことを特徴とする請求項１、２または３記載の自動販売機の防盗構造。
【請求項５】
前記カバー部材の縁部に収納部側に向かって延びるフランジ部を設けた
ことを特徴とする請求項１、２、３または４自動販売機の防盗構造。
【請求項６】
前記ロック板をカバー部材に上下方向に移動自在に設けるとともに、上方の所定位置まで移動すると収納部側との係合が解除されるように形成した
ことを特徴とする請求項１、２、３、４または５自動販売機の防盗構造。
【請求項７】
前記ロック板に、指先を挿入してロック板を上下方向に移動可能な操作孔を設けた
ことを特徴とする請求項６自動販売機の防盗構造。
【請求項８】
前記収納部側にカバー部材を施錠する錠前を取付可能な錠前取付部を設けた
ことを特徴とする請求項１、２、３、４、５、６または７の自動販売機の防盗構造。
【発明の詳細な説明】
【技術分野】
【０００１】
本発明は、例えばビン、缶またはペットボトル入り飲料等の商品を販売する自動販売機の防盗構造に関するものである。
【背景技術】
【０００２】
従来、この種の自動販売機としては、前面を開口した自動販売機本体と、自動販売機本体の前面開口部を開閉する外扉と、外扉の背面側に配置された金銭処理装置とを備え、外扉の背面側には、金銭処理装置を収納する収納部と、収納部を開閉するカバー部材とを設け、カバー部材を閉鎖状態でロック可能に構成したものが知られている（例えば、特許文献１参照。）。
【特許文献１】特開平１０−３２０６２７号公報
【発明の開示】
【発明が解決しようとする課題】
【０００３】
しかしながら、前記自動販売機では、カバー部材を上下方向にスライドさせることにより、収納部側とのロック及びロック解除を行うように構成されているため、カバー部材を上下方向に移動させるためのスペースが必要になるとともに、カバー部材自体をスライド操作しなければならず、操作性に劣るという問題点もあった。
【０００４】
また、カバー部材は堅牢な構造ではないため、例えばバールのような器具をカバー部材と収納部との隙間に挿入してカバー部材をこじ開けるといった不正行為に対しては十分な強度を有していない。このため、前述のようにしてカバー部材をこじ開けた隙間から金銭処理装置が抜き取られるという問題点があった。
【０００５】
本発明は前記問題点に鑑みてなされたものであり、その目的とするところは、カバー部材自体を操作せずともロック及びロック解除操作を行うことができるとともに、カバー部材がこじ開けられた場合でも収納部内の金銭処理装置が容易に抜き取られることのない自動販売機の防盗構造を提供することにある。
【課題を解決するための手段】
【０００６】
本発明は前記目的を達成するために、前面を開口した自動販売機本体と、自動販売機本体の前面開口部を開閉する外扉と、外扉の背面側に配置された金銭処理装置とを備え、外扉の背面側には、金銭処理装置を収納する収納部と、収納部を開閉するカバー部材とを設け、カバー部材を閉鎖状態でロック可能に構成した自動販売機の防盗構造において、前記カバー部材の内面側に、収納部側の所定部分に着脱自在に係合するロック板を設けるとともに、ロック板を収納部内の金銭処理装置の少なくとも一部を覆うように形成している。
【０００７】
これにより、カバー部材の内面側に設けたロック板が収納部側に着脱自在に係合することから、ロック板の操作のみによってカバー部材のロック及びロック解除が可能となる。また、ロック板によって収納部内の金銭処理装置が覆られることから、カバー部材がこじ開けられた場合でも、カバー部材の隙間から金銭処理装置が容易に抜き取られることはない。
【発明の効果】
【０００８】
本発明によれば、カバー部材自体を操作せずともロック及びロック解除操作を行うことができるので、カバー部材の全体をスライドさせるスペースを必要とせず、カバー部材の周囲の省スペース化を図ることができるとともに、カバー部材のロック及びロック解除時における操作性も格段に向上させることができる。また、カバー部材がこじ開けられた場合でも収納部内の金銭処理装置が容易に抜き取られることがないので、金銭処理装置に対する防盗効果を高めることができる。
【発明を実施するための最良の形態】
【０００９】
図１乃至図１１は本発明の一実施形態を示すもので、図１は自動販売機の全体斜視図、図２は外扉を開放した状態を示す自動販売機の全体斜視図、図３はカバー部材を開放した状態を示す自動販売機の全体斜視図、図４はカバー部材を開放した状態を示す収納部の斜視図、図５はカバー部材を閉鎖した状態を示す収納部の側面断面図、図６はカバー部材の正面図、図７はロック板の動作を示す側面断面図、図８はカバー部材の動作を示す側面断面図、図９乃至図１１はカバー部材の不正開放時の状態を示す側面断面図である。
【００１０】
この自動販売機は、前面を開口した自動販売機本体１と、自動販売機本体１の前面開口部を開閉する外扉２と、外扉２の背面側に配置された金銭処理装置３とを備えている。外扉２の背面側には、金銭処理装置３を収納する収納部４と、収納部４を開閉するカバー部材５が設けられ、カバー部材５の内側にはロック板６が設けられている。
【００１１】
自動販売機本体１は断熱性の内扉１ａによって開閉する商品収納庫（図示せず）を備え、商品収納庫内にはサーペンタイン式等の商品コラム（図示せず）が収容されている。また、内扉１ａの下部には複数の商品搬出口１ｂが設けられ、商品コラムから搬出された商品は商品搬出口１ｂから搬出されるようになっている。
【００１２】
外扉２は幅方向一端を自動販売機本体１に回動自在に支持され、その前面には、複数の商品サンプル２ａ、複数の商品選択スイッチ２ｂ、硬貨投入口２ｃ、紙幣投入口２ｄ、金額表示部２ｅ、硬貨返却口２ｆ及び商品取出口２ｇが設けられている。
【００１３】
金銭処理装置３は、硬貨投入口２ｃから硬貨が投入される周知の硬貨処理装置３ａと、紙幣投入口２ｄから紙幣が投入される周知の紙幣処理装置３ｂとからなり、硬貨処理装置３ａ及び紙幣処理装置３ｂ内には硬貨及び紙幣がそれぞれ収納されるようになっている。
【００１４】
収納部４は外扉２の背面の幅方向一端側に配置され、その内部はフレーム部材４ａによって囲まれている。収納部４内には金銭処理装置３の硬貨処理装置３ａ及び紙幣処理装置３ｂが収納されており、硬貨処理装置３ａは収納部４の幅方向一端側に配置され、紙幣処理装置３ｂは幅方向他端側に配置されている。また、収納部４内には紙幣処理装置３ｂの周面側を他の部分から仕切るように囲む仕切壁７が設けられ、仕切壁７の一側面にはロック板６との係合部をなすピン７ａが突設されている。収納部４内の下部には硬貨処理装置３ａから排出される硬貨を受容する硬貨収納箱８が設けられ、硬貨処理装置３ａの下方には釣銭または返却硬貨を硬貨返却口２ｆに案内する硬貨トレー３ｃが前後方向に移動自在に設けられている。この場合、硬貨トレー３ｃを収納部４の前方に引き出すと、硬貨処理装置３ａから排出される硬貨が硬貨収納箱８内に落下するようになっている。更に、フレーム部材４ａには収納部４の前方に突出する錠前取付部４ｂが設けられ、錠前取付部４ｂには図示しない錠前を掛けるための孔４ｃが設けられている。
【００１５】
カバー部材５は金属製の板状部材からなり、収納部４の幅方向他端側に設けられた支軸５ａに回動自在に支持されている。カバー部材５の上端縁には収納部４側に向かって垂直に延びる第１のフランジ部５ｂが設けられ、第１のフランジ部５ｂは紙幣処理装置３ｂの上方に位置するようになっている。また、カバー部材５の幅方向他端には収納部４側に向かって垂直に延びる第２のフランジ部５ｃが設けられ、第２のフランジ部５ｃは硬貨処理装置３ａの一側方に位置するようになっている。第２のフランジ部５ｃの上方にはフレーム部材４ａの前面に当接する当接片５ｄが設けられ、当接片５ｄにはフレーム部材４ａの錠前取付部４ｂを挿通する孔５ｅが設けられている。また、カバー部材５には、ロック板６を上下方向に移動自在に挿通する第１の長孔５ｆと、ロック板６を上下方向に操作するための第２の長孔５ｇと、硬貨処理装置３ａの硬貨トレー３ｃに当接する突片５ｈがそれぞれ設けられている。
【００１６】
ロック板６は紙幣処理装置３ｂの上下方向一部を収納部４の前面側から覆うように設けられ、その幅方向一端をカバー部材５の支軸５ａに回動自在に支持されている。この場合、ロック板６には支軸５ａを挿通する上下一対の軸挿通部６ａが設けられ、各軸挿通部６ａは支軸５ａに上下方向に移動自在に支持されている。ロック板６の幅方向他端にはカバー部材５の外面側に係止する係止片６ｂが設けられ、係止片６ｂはカバー部材５の第１の長孔５ｆに上下方向に移動自在に挿入されている。また、ロック板６には指先を挿入可能な操作孔６ｃが設けられ、操作孔６ｃはカバー部材５の第１の長孔５ｆ内を上下方向に移動可能に配置されている。ロック板６の幅方向他端には収納部４内のピン７ａに係合可能な係合片６ｄが収納部４側に向かって突設され、係合片６ｄの下端側にはピン７ａを受容する溝６ｅが設けられている。更に、ロック板６の上端縁には収納部４側に向かって斜め上方に延びる傾斜片６ｆが設けられている。
【００１７】
以上の構成においては、カバー部材５を回動して収納部４を開放することにより、金銭処理装置３に対して金銭の回収等の作業を行うことができる。この場合、ロック板６の操作孔６ｃに指先を挿入してロック板６を上方に移動させることにより、図７に示すように係合片６ｄの溝６ｅがピン７ａから外れ、図８に示すようにロック板６が開放される。また、カバー部材５を閉鎖すると、係合片６ｄの溝６ｅがピン７ａに係合し、カバー部材５が閉鎖状態でロックされるとともに、収納部４内の紙幣処理装置３ｂがロック板６によって覆われる。その際、硬貨トレー３ｃを引き出したままカバー部材５が閉鎖された場合でも、硬貨トレー３ｃに突片５ｈが当接して硬貨トレー３ｃが押し戻される。また、カバー部材５を閉鎖すると、収納部４の錠前取付部４ｂがカバー部材５の孔５ｅから突出し、錠前取付部４ｂの孔４ｃに図示しない錠前を掛けることにより、カバー部材５が施錠される。
【００１８】
ここで、図９に示すようにバール等の器具Ａをカバー部材５の上端側の縁部と収納部４の上面との隙間に挿入し、カバー部材５をこじ開けようとした場合には、器具Ａの先端が第１のフランジ部５ｂに当接し、器具Ａの挿入が第１のフランジ部５ｂによって阻止される。ところが、図１０に示すように器具Ａに下方への力を加えて第１のフランジ部５ｂがカバー部材５の内側に向かって折れ曲げられた場合には、カバー部材５の内側まで器具Ａが挿入されるが、収納部４内の紙幣処理装置３ｂはロック板６によって前方を覆われているため、カバー部材５がこじ開けられたとしても、カバー部材５の隙間から紙幣処理装置３ｂが容易に抜き取られることはない。この場合、器具Ａをロック板６の上端側まで挿入すると、図１１に示すように器具Ａの先端がロック板６の傾斜片６ｆに案内されてロック板６とカバー部材５との間に挿入されるため、ロック板６がカバー部材５と共にこじ開けられることはない。また、紙幣処理装置３ｂは仕切壁７で囲まれていることから、仕切壁７によっても紙幣処理装置３ｂの抜き取りが阻止される。
【００１９】
このように、本実施形態によれば、カバー部材５の内面側に、収納部４側に着脱自在に係合するロック板６を設けたので、カバー部材５のロック及びロック解除をロック板６の操作のみによって行うことができる。従って、カバー部材５の全体をスライドさせるスペースを必要とせず、カバー部材５の周囲の省スペース化を図ることができるとともに、カバー部材５のロック及びロック解除時における操作性も格段に向上させることができる。
【００２０】
また、ロック板６によって収納部４内の紙幣処理装置３ｂを覆うようにしたので、カバー部材５の内側に器具Ａを挿入してカバー部材５がこじ開けられた場合でも、紙幣処理装置３ｂを覆うロック板６により、カバー部材５の隙間から紙幣処理装置３ｂが容易に抜き取られることがなく、防盗効果を格段に高めることができる。
【００２１】
更に、収納部４内に、ロック板６によって覆われる紙幣処理装置３ｂを他の部分から仕切るように囲む仕切壁７を設けたので、仕切壁７によっても紙幣処理装置３ｂの抜き取りを阻止することができ、防盗効果をより高めることができる。
【００２２】
この場合、仕切壁７にロック板６と係合するピン７ａを設けたので、仕切壁７とロック板６との結合によりロック板６をロックすることができ、紙幣処理装置３ｂの抜き取りを効果的に阻止することができる。
【００２３】
また、ロック板６の上縁部に収納部４側に向かって傾斜する傾斜部６ｅを設けたので、カバー部材５の内側に挿入された器具Ａを傾斜片６ｆによってロック板６とカバー部材５との間に案内することができる。これにより、器具Ａがロック板６の内側に挿入されることがないため、ロック板６がカバー部材５と共にこじ開けられることがないという利点がある。
【００２４】
更に、カバー部材５の上端縁に収納部４内に向かって延びる第１のフランジ部５ｂを設けたので、カバー部材５の内側に器具Ａを挿入しようとする際に、器具Ａの先端で第１のフランジ部５ｂを折り曲げなければならず、器具Ａが容易に挿入されることがないという利点がある。
【００２５】
また、ロック板６をカバー部材５に上下方向に移動自在に設けるとともに、ロック板６を上方に移動すると、収納部４側のピン７ａとロック板６の係合片６ｄとの係合が解除されるようにしたので、ロック板６のロック状態を簡単な操作によって解除することができ、カバー部材５の開閉操作を極めて容易に行うことができる。
【００２６】
この場合、ロック板６に設けた操作孔６ｃに指先を挿入し、ロック板６を上下方向に移動させるようにしたので、ロック板６を操作するための部品を別途取付ける必要がない。これにより、構造の簡素化を図ることができるとともに、操作用の部品がロック板６の前後方向に突出して周囲の機器に接触するといった不具合も生ずることがない。また、操作孔６ｃに指先を挿入しながらカバー部材５の開閉操作も行うことができるので、操作性を格段に向上させることができる。
【００２７】
更に、収納部４側に錠前取付部４ｂを設けたので、錠前取付部４ｂに錠前を取付けることにより、カバー部材５を施錠することができ、防盗性の強化を図ることができる。
【００２８】
尚、前記実施形態では、収納金銭の額が硬貨処理装置３ａよりも高い紙幣処理装置３ｂのみをロック板６で覆うようにしたものを示したが、硬貨処理装置３ａと紙幣処理装置３ｂの両方を覆うロック板を設けるようにしてもよい。
【図面の簡単な説明】
【００２９】
【図１】本発明の一実施形態を示す自動販売機の全体斜視図
【図２】外扉を開放した状態を示す自動販売機の全体斜視図
【図３】カバー部材を開放した状態を示す自動販売機の全体斜視図
【図４】カバー部材を開放した状態を示す収納部の斜視図
【図５】カバー部材を閉鎖した状態を示す収納部の側面断面図
【図６】カバー部材の正面図
【図７】ロック板の動作を示す側面断面図
【図８】カバー部材の動作を示す側面断面図
【図９】カバー部材の不正開放時の状態を示す側面断面図
【図１０】カバー部材の不正開放時の状態を示す側面断面図
【図１１】カバー部材の不正開放時の状態を示す側面断面図
【符号の説明】
【００３０】
１…自動販売機本体、２…外扉、３…金銭処理装置、３ａ…硬貨処理装置、３ｂ…紙幣処理装置、４…収納部、４ｂ…錠前取付部、５…カバー部材、５ｂ…第１のフランジ部、６…ロック板、６ｃ…操作孔、６ｄ…係合片、６ｆ…傾斜片、７…仕切壁、７ａ…ピン。
【図１】
2006107232.tif 000003
【図２】
2006107232.tif 000004
【図３】
2006107232.tif 000005
【図４】
2006107232.tif 000006
【図５】
2006107232.tif 000007
【図６】
2006107232.tif 000008
【図７】
2006107232.tif 000009
【図８】
2006107232.tif 000010
【図９】
2006107232.tif 000011
【図１０】
2006107232.tif 000012
【図１１】
2006107232.tif 000013